(57)【特許請求の範囲】
【請求項１】
車両用のシステムであって、
車両に関係付けられるオブジェクト検出システムと、
前記オブジェクト検出システムに通信可能に結合された制御システムと
を備え、
前記オブジェクト検出システムは、前記車両が始動されていないときに前記車両の付近のオブジェクトの存在を検出するように構成され、
前記制御システムは、
前記オブジェクト検出システムを使用して前記車両の付近の領域の初期状態を決定することと、
前記オブジェクト検出システムを使用して第２の時間における前記車両の付近の領域の第２状態を決定することと、
前記第２状態と前記初期状態との差異を決定することと、
前記第２状態と前記初期状態との決定された前記差異に少なくとも部分的に基づいて、前記オブジェクト検出システムが前記車両の付近のオブジェクトの存在を検出する場合に応答をアクティブ化することと
を行うように構成され、
前記制御システムは、前記車両のトランスミッションが駐車ギアにシフトされたこと又は前記車両のイグニションがオフにされたことに対し、前記オブジェクト検出システムを調整することによって応答するように構成され、
前記調整は、前記車両の前後付近の領域の前記初期状態を決定することによって行われ、
前記第２の時間は、前記車両が開錠されたときである、システム。
【請求項２】
前記オブジェクト検出システムはセンサモジュールを備える、請求項１に記載のシステム。
【請求項３】
前記センサモジュールは近接センサを備える、請求項２に記載のシステム。
【請求項４】
前記センサモジュールはレーダを備える、請求項２に記載のシステム。
【請求項５】
カメラシステムを更に備え、
前記制御システムは前記カメラシステムと通信可能に結合される、請求項２に記載のシステム。
【請求項６】
前記制御システムによりアクティブ化される応答は、前記カメラシステムのアクティブ化である、請求項５に記載のシステム。
【請求項７】
前記制御システムは通信モジュールを備え、
前記制御システムは前記カメラシステムから取得された映像データを、前記通信モジュールを介して遠隔装置に送信するように構成される、請求項６に記載のシステム。
【請求項８】
前記制御システムは通信モジュールを備え、
前記制御システムによってアクティブ化された応答は、前記通信モジュールを介する遠隔装置への通知の送信である、請求項１に記載のシステム。
【請求項９】
前記制御システムは通信モジュールを備え、
前記制御システムはサードパーティシステムと通信するように構成され、
前記制御システムによりアクティブ化された応答は、前記サードパーティシステムへの送信である、請求項１に記載のシステム。
【請求項１０】
前記制御システムはユーザインターフェースを備え、
前記オブジェクト検出システム及び前記応答は前記ユーザインターフェースを介して設定可能である、請求項１に記載のシステム。
【請求項１１】
車両の付近のオブジェクトの検出に基づいて応答をアクティブ化する方法であって、
前記車両のトランスミッションが駐車ギアにシフトされたこと又は前記車両のイグニションがオフにされたことに応答して、前記車両の制御システムを使用してオブジェクト検出システムを調整することであって、前記調整は、前記オブジェクト検出システムを使用して第１の時間に前記車両の前後付近の領域の第１状態を決定することによって行われることと、
前記オブジェクト検出システムを使用して第２の時間における前記領域の第２状態を決定することであって、前記第２の時間は前記第１の時間の後であり、かつ、前記車両が開錠されたときであることと、
前記車両の前記制御システムを使用して、前記第２状態と前記第１状態との差異を決定することと、
前記車両の前記制御システムを使用して、決定された前記差異に少なくとも部分的に基づいて応答をアクティブ化することと
を含む、方法。
【請求項１２】
前記第１の時間は、前記車両がオフにされるときに発生する、請求項１１に記載の方法。
【請求項１３】
前記オブジェクト検出システムは、カメラシステムを備える、請求項１１に記載の方法。
【請求項１４】
前記応答は、遠隔装置に送信されるテキストメッセージの通知である、請求項１１に記載の方法。
【発明の詳細な説明】
【技術分野】
【０００１】
本開示は、一般に、車両エレクトロニクスの分野に関する。本開示は、より詳細には、車両用のオブジェクト検出システムに関する。本開示は、更に詳細には、センサモジュール及び／又はカメラシステムを有する車両用のオブジェクト検出システムに関する。
（関連特許出願への相互参照）
本出願は、２０１３年１２月１８日に提出され、参照により本明細書に組み込まれる米国特許仮出願第１４／１３２、１８９号の利益及び優先権を主張する。
【背景技術】
【０００２】
幾つかの従来の車両システムは、車両をバックさせ又は駐車するためのリバース操縦等の間、運転者が車両をバックさせるのを支援するための後ろ向きカメラを含んでいる場合がある。このようなカメラシステムは、典型的には、運転者がリバースにシフトするときにのみアクティブ化される。他のシステムでは、カメラは、車両のサイドミラーを補完又は置換するために使用されている。このようなカメラシステムは、車両の運転者が運転している間、モニター上に１つ又は複数のカメラからの出力を表示する。こうしたカメラシステムは、典型的には、車両の使用中にのみアクティブ化され、車両が使用されていないときは非アクティブのままである。更に、このようなシステムは、典型的には、１つ又は複数のカメラからの出力を能動的に表示して、映像データを保存しない。このようなバックカメラシステムはオブジェクト検出機能を含み得るが、典型的には、このような機能は、車両がリバースにシフトされているときにのみアクティブ化され、典型的には、過去の状態を参照せずにリアルタイムでオブジェクトの存在を検出するだけである。このようなシステムは、以前に車両の後方に有ったオブジェクトと車両の後方の新しいオブジェクトとを区別することができない。
【０００３】
幾つかの従来の車両用の警報システムでは、ピッキングの試み、窓の破損、又は車両の物理的外乱等のイベントの発生時に警報がトリガされる場合がある。このようなシステムは、車両に可聴警報を出させ、車両に１つ以上の視覚表示をアクティブ化させ、及び／又は運転者に、例えば、運転者が所持するキーフォブ等に警報状態の通知を送信させる場合がある。しかしながら、このような警報システムは、典型的には、運転者に限定的な情報を提供し、イベントの発生時にイベントを生じさせる警報を単に運転者に通知するだけである。
【０００４】
従来のシステムの上記１つ以上の欠点を改善するために、改良された車両用のオブジェクト検出システムが必要とされている。
【発明の概要】
【０００５】
１つの実装は、車両に関係付けられるオブジェクト検出システムを含む車両用のシステムに関する。オブジェクト検出システムは、車両が始動されていないときに車両の付近のオブジェクトの存在を検出するように構成されてもよい。また、システムは、オブジェクト検出システムに通信可能に結合される制御システムも含む。制御システムは、オブジェクト検出システムを使用して車両の付近の領域の初期状態を決定して、オブジェクト検出システムが決定された初期状態に少なくとも部分的に基づいて車両の付近のオブジェクトの存在を検出すると応答をアクティブ化するように構成されてもよい。
【０００６】
別の実装は、車両の付近のオブジェクトの検出に基づいて応答をアクティブ化するための方法に関する。この方法は、オブジェクト検出システムを使用して、第１の時間に、車両の付近の領域の第１の状態を決定するステップを含む。また、この方法は、オブジェクト検出システムを使用して、第２の時間に、車両の付近の領域の第２の状態を決定するステップも含み、ここで第２の時間は第１の時間の後である。この方法は、第２の状態と第１の状態との差異を決定するステップを更に含む。更に、この方法は、決定された差異に少なくとも部分的に基づいて応答をアクティブ化するステップをも含む。
【０００７】
更に別の実装は、車両に関係付けられるオブジェクト検出システムを含む車両用のシステムに関する。オブジェクト検出システムは、車両の付近のオブジェクトの存在を検出するように構成されるセンサモジュールとカメラシステムとを含んでもよい。また、システムは、センサモジュール及びカメラシステムに通信可能に結合される制御システムも含む。制御システムは、センサモジュールを使用して車両の付近の領域の初期状態を決定して、センサモジュールが決定された初期状態に少なくとも部分的に基づいて車両の付近のオブジェクトの存在を検出するとカメラシステムをアクティブ化するように構成されてもよい。
【図面の簡単な説明】
【０００８】
添付の図面及び以下の説明において、１つ以上の実装の詳細が説明される。説明、図面及び請求項から本開示の他の特徴、態様及び利点が明らかになろう。
【図１】統合型制御システムを備えた車両の図である。
【図２】車両のオーディオシステム、電話システム、暖房、換気、及び空調システム（ＨＶＡＣ）、及び／又はオブジェクト検出システムを制御するための統合型制御システムのブロック図である。
【図３】前方カメラシステム、前方センサモジュール、後方カメラシステム、及び後方センサモジュールを有するオブジェクト検出システムを備えた制御システムのブロック図である。
【図４】取り外し可能カメラシステム及びセンサモジュールを有するオブジェクト検出システムを備えた制御システムのブロック図である。
【図５】遠隔のサードパーティシステムを示す制御システムのブロック図である。
【図６Ａ】車両の付近の領域を最初に検出するためのセンサモジュールを備えた車両の図である。
【図６Ｂ】オブジェクトの存在を検出する図６Ａの車両の図である。
【図７Ａ】車両の付近の領域を最初に検出するためのカメラを備えた車両の図である。
【図７Ｂ】オブジェクトの存在を検出する図７Ａの車両の図である。
【図８】制御システムを使用してセンサモジュールをアクティブ化し且つ車両の付近の領域の変化が検出されると応答をアクティブ化するための処理を示す。
【図９】制御システムを使用してカメラシステムをアクティブ化し且つ車両の付近の領域の変化が検出されると応答をアクティブ化するための処理を示す。
【図１０】遠隔装置との通信リンクを確立して、カメラシステムをアクティブ化するための処理を示す。
【図１１】センサモジュールが車両の付近の領域の変化を検出することに基づいて制御システムを使用してカメラシステムをアクティブ化するための処理を示す。
【発明を実施するための形態】
【０００９】
一部又は全ての図面が例示のための概略的な表現であることが理解されるであろう。図面は１つ以上の実施形態を示すために提供されているのであって、請求項の範囲又は意味を限定するために用いられないことが明確に理解されるであろう。
【００１０】
以下は、車載オブジェクト検出システム用の方法、装置及びシステムに関する様々な概念及びこれらの実装のより詳細な説明である。本明細書に記載のシステム及び方法は、車両の付近のオブジェクトを検出して、カメラシステムのアクティブ化又は車両のユーザへの指示の提供等の応答をアクティブ化するために使用されてもよい。本明細書に記載のシステム及び方法は、例えば、車両の背後又は付近に隠れているかもしれない人物、及び車両のユーザによって検出できない可能性がある人物といった、潜在的な犯罪の犯人等の人物の存在を検出するために使用されてもよい。駐車場建物内の車両に戻るユーザはその人物を検出しない可能性があり、本明細書に記載のシステム及び方法は、スマートフォンアプリケーション、テキストメッセージ、電話呼び出し、車両からの視覚及び／又は聴覚指示等又はそれ以外を介して、車両の付近の人物の存在の通知をユーザに提供することが可能であってもよい。ユーザへのこのような通知によって、ユーザは注意して車両に接近することができ、及び／又は潜在的な脅威に基づいて警察当局の支援を求めることができる。
【００１１】
一部の実装では、近接センサ又はレーダ等のセンサモジュールが、車両の付近の領域の初期状態を検出し、或いは車両の付近の領域の変化を検出するためのシステムを調整するために使用されてもよい。車両のユーザが車両を駐車するか又はエンジンを切ると、制御システムは、前方及び／又は後方バンパーの付近、車両の側部、車両の周り３６０度等、センサモジュールを使用して車両の付近の領域を検出するためにセンサモジュールをアクティブ化してもよい。一例では、センサモジュールは、前方バンパーから壁まで２フィートの空間として領域の初期状態を検出してもよい。人物、車両等のオブジェクトがこの領域に入ると、センサモジュールは変化を検出してもよい。車両の制御システムは、警報をトリガし、カメラシステムをアクティブ化し、車両の所有者に通知を出力し、及び／又は検出された変化に基づいてサードパーティシステム又はサービスと通信してもよい。一部の例では、制御システムの応答は、即時であってもよく、又は車両のユーザが車両へ戻っているとき、車両が開錠されたとき等、後の時間に起こってもよい。
【００１２】
一部の実装では、カメラシステムは、車両で使用されてもよい。カメラシステムは、車両に組み込まれたカメラを含んでもよく、又は取り外し可能かそれ以外の取り除き可能カメラを含んでもよい。カメラシステムのカメラは、車両の後方付近に搭載されたバックビューカメラ、フロントビューカメラ、回転カメラ、魚眼カメラ等を含んでもよい。一部の実装では、カメラシステムは、センサモジュールの代わりに使用されてもよく、車両の付近の変化を光学的に検出するように構成されてもよい。他の実装では、カメラシステムは、本明細書に記載のセンサモジュールに加えて使用されてもよい。例えば、本明細書に記載のカメラシステム及び制御システムは、ユーザが車両に戻っているときに、センサモジュールによって検出されたオブジェクトの画像を車両のユーザに提供するために使用されてもよい。他の例では、制御システムは、オブジェクトが検出されると、カメラシステムからの映像データをユーザのスマートフォンに送信してもよい。更に他の例では、制御システムは、カメラシステムから映像データ又は画像データを記憶装置に保存されるように記録して、車両のユーザが映像データ及び／又は画像データを後で見ることができるようにしてもよい。
【００１３】
図１及び２を参照すると、例示の車両１００は、車両１００内に制御システム１０２を含む。車両１００は、ユーザの利便性及び娯楽性のための多くのサブシステムを含んでもよい。制御システム１０２は車両１００の一部として示されているが、一部の実装では、制御システム１０２は車両１００から分離していてもよい（例えば、取り外し可能又は携帯型制御システム）。車両１００は、一般的には、暖房、換気、及び空調（ＨＶＡＣ）システム、音声システム、車載制御システム１０２（例えば、メディアシステム、ナビゲーションシステム、娯楽システム、ディスプレイシステム、通信システム等）を含む。ＨＶＡＣシステム、音声システム、ディスプレイシステム、及び通信システムは、自動的に又は手動ユーザコマンドで様々なシステムを制御及び／又は監視することができる車載制御システム１０２に結合されてもよい。なお、様々な実装では、車両１００、ＨＶＡＣシステム、音声システム、及び他の車両システムは、車載制御システム１０２と相互作用可能な任意の過去、現在又は未来の構造を有してもよい。
【００１４】
図２は、車両１００の１つ以上の態様を制御するための制御システム１０２のブロック図を描いている。制御システム１０２は、オブジェクト検出システム１０４、オーディオシステム１２０、出力ディスプレイ１２２、ユーザインターフェース１２４、オーディオ出力装置１２６、及び／又はオーディオ入力装置１２８等の複数のシステムに通信可能に結合される。制御システム１０２は、オーディオシステム１２０、出力ディスプレイ１２２、ユーザインターフェース１２４、オーディオ出力装置１２６、及び／又はオーディオ入力装置１２８に通信可能に結合される。オーディオシステム１２０は、例えば、ラジオ、アンプ及び１つ以上車両乗員にオーディオ信号を提供するように構成される少なくとも１つのスピーカを含んでもよい。スピーカ（図示せず）は、制御システム１０２及び／又は通信モジュール１１８を介して遠隔システムを含む他のシステムからオーディオ出力データを受信するように構成される。一部の実装では、オーディオ出力データは、テキスト・トゥ・スピーチデータを含んでもよい。スピーカは車両オーディオシステム１２０の一部であってもよく、又は制御システム１０２のみを提供するオーディオ出力装置１２６等の１つ又は複数の専用スピーカであってもよい。
【００１５】
また、制御システム１０２は出力ディスプレイ１２２にも通信可能に結合される。出力ディスプレイ１２２はタッチスクリーンディスプレイであってもよいが、他の実装では、任意の他の非タッチセンサ式ディスプレイであってもよい。更に他の例示的な実施形態では、出力ディスプレイ１２２は、任意の技術（例えば、ＬＣＤ、ＤＬＰ、プラズマ、ＣＲＴ）、構成（例えば、ポートレート又はランドスケープ）、又は形状（例えば、多角形、湾曲、曲線的）を有してもよい。出力ディスプレイ１２２は、製造業者が取り付けた出力ディスプレイ、アフターマーケット出力ディスプレイ、又は任意のソースからの出力ディスプレイであってもよい。出力ディスプレイ１２２は、組み込み型ディスプレイ（例えば、制御システム又は他の車両システム、部品又は構造に組み込まれたディスプレイ）、独立型ディスプレイ（例えば、携帯型ディスプレイ、可動アームに設置されたディスプレイ）、又は任意の他の構成を有するディスプレイであってもよい。
【００１６】
また、制御システム１０２は、ユーザインターフェース１２４及び／又はマイクロホン等のオーディオ入力装置１２８にも通信可能に結合される。一部の実装では、ユーザインターフェース１２４は、タッチスクリーンディスプレイ等の出力ディスプレイ１２２と統合されてもよい。ユーザインターフェース１２４は、例えば、押しボタン、スイッチ、キーパッド、タッチスクリーンディスプレイ等を介して車両乗員から入力コマンドを受信するために使用されてもよい。代替的に、制御システム１０２への入力コマンドは、車両乗員からのオーディオ信号のセットを含んでもよい。例えば、車両乗員は、制御システム１０２に入力コマンドを提供するためにオーディオ入力装置１２８に直接話しかけてもよい。オーディオ入力装置１２８は、車両乗員から口頭コマンドを受信するように構成される１つ以上マイクロホンを含んでもよい。口頭コマンドは、乗員が話す、口に出す、又は制御システム若しくは別のシステムに機能を行わせるために提供される任意の単語又は語句であってもよい。制御システム１０２における音声認識システム（図示せず）は、オーディオ入力装置１２８を介して受信されたオーディオ信号（例えば、口頭入力コマンド）等の様々なデータ信号を処理して、口頭コマンドの単語又は語句を認識するために使用されてもよい。当分野で知られている音声認識技術が音声認識システムに実装されてもよい。例えば、音声認識システムは、Ｉｎｔｅｒｎａｔｉｏｎａｌ  Ｂｕｓｉｎｅｓｓ  Ｍａｃｈｉｎｅｓ社により製造されたＩＢＭ  Ｅｍｂｅｄｄｅｄ  ＶｉａＶｏｉｃｅ(R)等の任意の音声認識ソフトウェア又はエンジンを含んでもよい。
【００１７】
一部の実装では、ユーザインターフェース１２４は、本明細書に詳細に記載されているオブジェクト検出システム１０４に関係付けられる１つ以上の設定を車両１００の乗員が修正できるようにするためのインターフェースを含んでもよい。例えば、このような設定は、オブジェクト検出システム１０４の感度（例えば、どのくらいの大きさのオブジェクトが応答をトリガするか）、影の設定（例えば、影を識別及び／又は無視する）、通知設定（例えば、車両の照明をアクティブ化するか、遠隔装置にテキストメッセージを送信するか、サードパーティシステムに通知するかどうか等）、持続時間（例えば、どのくらい長く映像又は一連の画像を記録するか）、及び／又は他の適切な設定を修正することを含む。
【００１８】
車両１００の制御システム１０２は、他の車両システム１９０（例えば、警報システム、照明システム等）に通信可能に結合されてもよく、通信機能（例えば、Ｂｌｕｅｔｏｏｔｈ（登録商標）電話接続、ナビゲーション通信システム等）、ユーザ快適性及び利便性機能、安全性機能、ラジオ等の娯楽機能、又は他のユーザインターフェース機能を更に含んでもよい。
【００１９】
制御システム１０２は、制御システム１０２に対するコマンド及び操作を処理するためのデータ処理システム１０６を含む。データ処理システム１０６は、１つ以上のアナログ及び／又はデジタル電気又は電子コンポーネントを備えてもよく、マイクロプロセッサ、マイクロコントローラ、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、ＦＰＧＡ（ｆｉｅｌｄ  ｐｒｏｇｒａｍｍａｂｌｅ  ｇａｔｅ  ａｒｒａｙ）、プログラム可能論理及び／又は様々な入力／出力、分析及び本明細書に記載の他の機能を行うように構成される他のアナログ及び／又はデジタル回路要素を含んでもよい。
【００２０】
また、制御システム１０２は、記憶装置１１０、不揮発性メモリ１１２及び／又は揮発性メモリ１１４等のコンピュータ可読記憶媒体１０８を含んでもよい。コンピュータ可読記憶媒体１０８は、本明細書に記載の様々な処理、レイヤ、及びモジュールを遂行し及び／又は促進するためのデータ及び／又はコンピュータコードを記憶するための１つ以上の装置（例えば、ＲＡＭ、ＲＯＭ、フラッシュメモリ、ハードディスク記憶装置等）を含んでもよい。コンピュータ可読記憶媒体１０８は、データベースコンポーネント、オブジェクトコードコンポーネント、スクリプトコンポーネント、又は本明細書に記載の様々なアクティビティ及び情報構造をサポートするための任意の他のタイプの情報構造を含んでもよい。ある実装によれば、コンピュータ可読記憶媒体１０８は、データ処理システム１０６に通信可能に結合され、本明細書に記載の１つ以上の処理を（例えば、データ処理システム１０６によって）実行するためのコンピュータコードを（メモリに記憶されたモジュールを介して）含む。また、記憶装置１１０は、設定データ、映像データ、画像データ等の他のコンピュータ可読データを記憶してもよい。
【００２１】
制御システム１０２は、遠隔装置１５０、遠隔システム、及び／又は無線カメラシステム１３０等の車両１００の他のシステムとの双方向通信を可能にする通信モジュール１１８を含む。通信モジュール１１８はアナログ及び／又はデジタル構成要素を含む通信回路として構成されてもよく、このような通信モジュール１１８は、Ｂｌｕｅｔｏｏｔｈ（登録商標）通信プロトコル、ＩＥＥＥ８０２．１１通信プロトコル、又は他のパーソナルエリアネットワーク無線通信プロトコル又はデータフォーマット等の様々なデータ伝送フォーマットで近距離無線周波数（「ＲＦ」）信号を送受信することが可能である。
【００２２】
通信モジュール１１８はセルラ回路を含むように更に構成されてもよく、このような通信モジュール１１８は任意の数又は組み合わせの通信標準（例えば、ＣＤＭＡ、ＴＤＮＭ、ＷＣＤＭＡ（登録商標）、ＯＦＤＭ、ＧＰＲＳ、ＥＶ−ＤＯ、ＷｉＦｉ、ＷｉＭＡＸ、Ｓ０２．ｘｘ、ＵＷＢ、ＬＴＥ、衛星等）を使用して遠隔装置と音声及びデータ信号を交換することもできる。本明細書に記載の技術は、ＣＤＭＡ（Ｃｏｄｅ  Ｄｉｖｉｓｉｏｎ  Ｍｕｌｔｉｐｌｅ  Ａｃｃｅｓｓ）ネットワーク、ＴＤＭＡ（Ｔｉｍｅ  Ｄｉｖｉｓｉｏｎ  Ｍｕｌｔｉｐｌｅ  Ａｃｃｅｓｓ）ネットワーク、ＦＤＭＡ（Ｆｒｅｑｕｅｎｃｙ  Ｄｉｖｉｓｉｏｎ  Ｍｕｌｔｉｐｌｅ  Ａｃｃｅｓｓ）ネットワーク、ＯＦＤＭＡ（Ｏｒｔｈｏｇｏｎａｌ  ＦＤＭＡ）ネットワーク、ＳＣ−ＦＤＭＡ（Ｓｉｎｇｌｅ−Ｃａｒｒｉｅｒ  ＦＤＭＡ）ネットワーク等の様々な無線通信ネットワークに使用され得る。ＣＤＭＡネットワークは、ＵＴＲＡ（Ｕｎｉｖｅｒｓａｌ  Ｔｅｒｒｅｓｔｒｉａｌ  Ｒａｄｉｏ  Ａｃｃｅｓｓ）等の無線技術を実装し得る。ＵＴＲＡは、Ｗ−ＣＤＭＡ（Ｗｉｄｅｂａｎｄ−ＣＤＭＡ）及びＬＣＲ（Ｌｏｗ  Ｃｈｉｐ  Ｒａｔｅ）を含む。ＣＤＭＡ２０００は、ＩＳ−２０００、ＩＳ−９５、及びＩＳ−８５６標準をカバーする。ＴＤＭＡネットワークは、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）等の無線技術を実装し得る。ＯＦＤＭＡネットワークは、Ｅ−ＵＴＲＡ（Ｅｖｏｌｖｅｄ  ＵＴＲＡ）、ＩＥＥＥ８０２．１１、ＩＥＥＥ８０２．１６、ＩＥＥＥ８０２．２０、Ｆｌａｓｈ−ＯＦＤＭ等の無線技術を実装し得る。ＵＴＲＡ、Ｅ−ＵＴＲＡ及びＧＳＭは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部である。ＬＴＥ（Ｌｏｎｇ  Ｔｅｒｍ  Ｅｖｏｌｕｔｉｏｎ）は、Ｅ−ＵＴＲＡを使用する公開予定のＵＭＴＳである。ＵＴＲＡ、Ｅ−ＵＴＲＡ、ＧＳＭ、ＵＭＴＳ及びＬＴＥは、３ＧＰＰ（“３ｒｄ  Ｇｅｎｅｒａｔｉｏｎ  Ｐａｒｔｎｅｒｓｈｉｐ  Ｐｒｏｊｅｃｔ”）という名称の組織による文書に記載されている。ＣＤＭＡ２０００は、３ＧＰＰ２（“３ｒｄ  Ｇｅｎｅｒａｔｉｏｎ  Ｐａｒｔｎｅｒｓｈｉｐ  Ｐｒｏｊｅｃｔ  ２”）という名称の組織による文書に記載されている。
【００２３】
また、通信モジュール１１８は、ＵＳＢポート、シリアルポート、ＩＥＥＥ１３９４ポート、光学ポート、パラレルポート、及び／又は任意の他の適切な有線通信ポート等の有線通信機能を含んでもよい。
【００２４】
また、制御システム１０２は、車両１００のオブジェクト検出システム１０４とも通信する。図２に示された例では、オブジェクト検出システム１０４は、カメラシステム１３０及びセンサモジュール１３２を含む。カメラシステム１３０は制御システム１０２に物理的に有線で通信可能に結合されてもよく、及び／又はカメラシステム１３０はデータ伝送１３４を送受信するために通信モジュール１１８等を介して制御システム１０２と無線で通信してもよい。車載制御システム１０２は、ＵＳＢ技術、ＩＥＥＥ１３９４技術、光学技術、他のシリアル又はパラレルポート技術、又は任意の他の適切な有線リンクを使用してカメラシステム１３０との有線通信リンクを確立してもよい。通信モジュール１１８は、Ｂｌｕｅｔｏｏｔｈ（登録商標）通信プロトコル、ＩＥＥＥ８０２．１１プロトコル、ＩＥＥＥ８０２．１６プロトコル、セルラ信号、ＳＷＡＰ−ＣＡ（Ｓｈａｒｅｄ  Ｗｉｒｅｌｅｓｓ  Ａｃｃｅｓｓ  Ｐｒｏｔｏｃｏｌ−Ｃｏｒｄ  Ａｃｃｅｓｓ）プロトコル、無線ＵＳＢプロトコル、又は任意の他の適切な無線技術を使用してカメラシステム１３０との無線通信リンク１３４を確立してもよい。通信モジュール１１８は、映像データファイル、画像データファイル等の１つ以上のデータファイルをカメラシステム１３０から受信してもよい。
【００２５】
カメラシステム１３０は、映像及び／又は画像をキャプチャするための１つ以上のカメラを含んでもよい。例えば、カメラシステム１３０のカメラは、車両１００のバンパーに、車両１００のテールライトの付近に、車両１００の後方ハッチに、座席のヘッドレストに、後方ミラーに、後方ミラーから延びて、Ａピラーに、Ｂピラーに、Ｃピラー等に取り付けられるピンカメラであってもよい。一部の実装では、カメラシステム１３０のカメラは赤外線カメラであってもよい。前向きカメラ、後ろ向きカメラ、運転者の座席を向くカメラ、魚眼カメラ等のカメラは固定されていてもよい。他の実装では、後方ミラーから下向きに延びる回転式カメラ等のカメラは、車両１００に対して移動可能又は回転可能であってもよい。このような回転式カメラは、（例えば、車両１００に対してカメラを回転させることにより）車両１００の周囲の３６０度のビューを可能にしてもよい。
【００２６】
また、オブジェクト検出システム１０４は１つ以上のセンサモジュール１３２も含む。センサモジュール１３２は、制御システム１０２及び／又はカメラシステム１３０に物理的に有線で通信可能に結合されてもよい。他の実装では、センサモジュール１３２は、データ伝送１３４を送受信するために通信モジュール１１８等を介して制御システム１０２及び／又はカメラシステム１３０と無線で通信してもよい。車載制御システム１０２は、ＵＳＢ技術、ＩＥＥＥ１３９４技術、光学技術、他のシリアル又はパラレルポート技術、又は任意の他の適切な有線リンクを使用してセンサモジュール１３２との有線通信リンクを確立してもよい。通信モジュール１１８は、Ｂｌｕｅｔｏｏｔｈ（登録商標）通信プロトコル、ＩＥＥＥ８０２．１１プロトコル、ＩＥＥＥ８０２．１６プロトコル、セルラ信号、ＳＷＡＰ−ＣＡ（Ｓｈａｒｅｄ  Ｗｉｒｅｌｅｓｓ  Ａｃｃｅｓｓ  Ｐｒｏｔｏｃｏｌ−Ｃｏｒｄ  Ａｃｃｅｓｓ）プロトコル、無線ＵＳＢプロトコル、又は任意の他の適切な無線技術を使用してセンサモジュール１３２との無線通信リンク１３４を確立してもよい。通信モジュール１１８はセンサモジュール１３２からデータを受信してもよい。
【００２７】
センサモジュール１３２は、近接センサ、レーダシステム、レーザシステム、超音波センサ、電磁センサ、及び／又はセンサモジュール１３２に対するオブジェクトの接近を検出するための任意の他のセンサモジュール１３２を含んでもよい。例えば、センサモジュール１３２は、車両１００のバンパーに、車両１００のテールライトの付近に、車両１００の後方ハッチに、車両１００のドアに、車両１００のクォータパネルに、Ａピラーに、Ｂピラーに、Ｃピラー等に取り付けられてもよい。センサモジュール１３２は固定されてもよく、又はセンサモジュール１３２は、左右及び／又は上下の回転等、移動可能であってもよい。
【００２８】
また、図２は、通信モジュール１１８を介して制御システム１０２と無線で通信する遠隔装置１５０を描いている。遠隔装置１５０は、スマートフォン、タブレットＰＣ、Ｅリーダ、ラップトップコンピュータ、デスクトップコンピュータ、キーフォブ、及び／又は任意の他の適切な装置を含んでもよい。遠隔装置１５０は、遠隔装置１５０上のアプリケーションの実行により及び／又は遠隔装置１５０上で実行されているブラウザを使用してウェブアプリケーションにアクセスすることにより通信モジュール１１８を介して制御システム１０２との通信リンクを確立してもよい。本明細書でより詳細に記載されるように、遠隔装置１５０は、映像データ及び／又は画像データ等のデータを制御システム１０２から受信してもよく、設定データ等のデータを制御システム１０２に送信してもよい。
【００２９】
図３は、簡潔のため複数の図２の要素が取り除かれた制御システム１０２のブロック図を描いている。図３に示された例では、オブジェクト検出システム１０４は、複数のカメラシステム１４０、１４４及びセンサモジュール１４２、１４６を含む。カメラシステム１４０、１４４及びセンサモジュール１４２、１４６は、図１のカメラシステム１３０及びセンサモジュール１３２と同様に構成されてもよい。図３の例では、後方カメラシステム１４０及び後方センサモジュール１４２は、車両１００の後部の付近の領域を監視するように構成され、前方カメラシステム１４４及び前方センサモジュール１４６は車両１００の前部の付近の領域を監視するように構成される。
【００３０】
図４は取り外し可能又は取り除き可能なオブジェクト検出システム２００を有する制御システム１０２のブロック図を描いている。取り外し可能オブジェクト検出システム２００は、取り外し可能カメラシステム２０２及び取り外し可能センサモジュール２０４を含む。取り外し可能カメラシステム２０２は、フロントガラス又はリアウィンドウ等の室内ガラス面に取り付けられる吸着カップを有するカメラを含んでもよい。他の実装では、取り外し可能カメラシステム２０２は、頭上の材料の一部、布座席の一部、又は車両１００の室内の他の部分に取り付けるためのカメラ及びベルクロ（登録商標）（Ｖｅｌｃｒｏ(R)）マウントを含んでもよい。取り外し可能センサモジュール２０４は、接着マウント、磁石マウント、又は車両１００の屋外の部分に取り付けるための他の適切な取り外し可能マウント機能を含んでもよい。一部の実装では、取り外し可能オブジェクト検出システム２００は、取り外し可能カメラシステム２０２又は取り外し可能センサ２０４を含んでもよい。更に他の実装では、センサモジュール２０２は、その代わりに、既存の駐車支援機能又は他の既存のオブジェクト検出センサシステムを有する車両１００のように、前もって車両１００と共に含まれていてもよい。取り外し可能カメラシステム２０２は、単純に車両に取り付けられ、別に取り付けられた回路を介して及び／又は無線でＯＢＤ  ＩＩ  モジュール等を介して、車両の既存のシステムに通信可能に結合されてもよい。
【００３１】
図５は、通信モジュール１２０を有する制御システム１０２のブロック図を描いており、サードパーティシステム３００を描いている。サードパーティシステム３００は、遠隔装置１５０、オブジェクト検出システム１０４のプロバイダ及び／又は車両１００と提携していないシステムであってもよい。例えば、サードパーティシステム３００は、オブジェクトが検出されると通信モジュール１２０を介して制御システム１０２から出力されるテキストデータ、映像データ及び／又は画像データ等のデータを監視する遠隔サービスであってもよい。サードパーティシステム３００は、重要ではない検出オブジェクト（例えば、動物、ごみ等）を無視し、検出オブジェクトが重要である場合（例えば、人物、車両等）にだけ遠隔装置１５０にテキストデータ、映像データ及び／又は画像データを送信するための初期フィルタとして作用してもよい。
【００３２】
図６Ａは、制御システム１０２及びオブジェクト検出システム（図示せず）を有する車両１００を描いている。図示の例では、オブジェクト検出システムは、車両１００の後部の付近の領域を監視するように構成される後方センサモジュール、及び車両１００の前部の付近の領域を監視するように構成される前方センサモジュールを有する。また、１つ以上のカメラシステムは、オブジェクト検出システムの一部として含まれてもよい。車両１００は、始動されておらず、初期の又は駐車した状態で示されている。例えば、図６Ａに示された車両１００は、車両の運転者によりエンジンが切られたばかりであってもよい。制御システム１０２は、第１の時間に車両１００の前方及び後方の付近の領域の初期状態を決定することによりオブジェクト検出システムを調整するように構成される。一部の実装では、オブジェクト検出システムの調整は、車両１００のトランスミッションが駐車ギアにシフトされると発生してもよい。他の実装では、オブジェクト検出システムの調整は、車両１００のイグニションがオフにされると発生してもよい。更に他の実装では、オブジェクト検出システムの調整は、ユーザ入力（例えば、ボタン（ロックボタン等）のアクティブ化、音声コマンド、又は他のユーザインターフェース）に応答して発生してもよい。
【００３３】
オブジェクト検出システムの調整は、車両１００に対する壁等のオブジェクト又は他のオブジェクトの接近を決定するために近接センサをアクティブ化してもよい。オブジェクトが存在しなければ、近接センサは、オブジェクトが近接センサの範囲内に検出されないことを示してもよい。別の実装では、車両の付近の領域の初期状態を検出するためにレーダシステムがアクティブ化されてもよい。他の実装では、車両の付近の領域の初期状態を検出するためにレーザシステムがアクティブ化されてもよい。更に他の実装では、車両の付近の領域の初期状態を検出するために超音波センサ又は電磁センサがアクティブ化されてもよい。この例に示されたセンサモジュールは、車両１００の前方及び後方の付近のオブジェクトの存在を検出するために電波６００を放射するレーダシステムである。第１の時間におけるオブジェクト検出システムの調整中に検出された初期状態は、第１の時間の後で、第２の時間における第２の状態と比較して、初期の又は第１の状態と第２の状態との差異を決定するために使用されてもよい。車両の付近の領域の初期状態を示すデータは、記憶装置１１０、不揮発性メモリ１１２、及び／又は揮発性メモリ１１４等の記憶装置３２に記憶されてもよい。
【００３４】
図６Ｂは、オブジェクト検出システムを有する車両１００を描いており、車両１００の後部の付近の領域内に位置するオブジェクト６０２を示している。一部の実装では、オブジェクト検出システムが車両１００の後部の付近の領域にオブジェクト６０２の存在を検出すると、応答がアクティブ化されてもよい。応答は、コンピュータ可読記憶装置に映像ファイルを保存等することにより、オブジェクト６０２が記録され得るようにカメラシステムをアクティブ化することを含んでもよい。他の実装では、カメラシステムによって写真が撮られて、コンピュータ可読記憶装置に記憶されてもよい。カメラシステムは、室外カメラシステム、室内カメラシステム、及び／又はこれらの組み合わせであってもよい。一部の実装では、カメラシステムは、車両１００の周囲の３６０度ビューを取るために回転式カメラ又は魚眼カメラを含んでもよい。
【００３５】
一部の実装では、映像ファイル及び／又は写真は、（無線接続の使用等により）制御システム１０２の通信モジュールを使用して、スマートフォン、キーフォブ、又はサードパーティ監視システム又はサービス等の遠隔装置に送信されてもよい。更なる例示において、テキストメッセージ等の通知が、制御モジュール１０２の通信モジュール１１８によって、スマートフォン、キーフォブ、又はサードパーティ監視システム又はサービス等の遠隔装置に出力されてもよい。更に、応答は、警報のアクティブ化、照明システムのアクティブ化、音声システムのアクティブ化等を含んでもよい。一部の実装では、車両１００の照明システム及びカメラシステムのアクティブ化等、上記応答の組み合せが互いに起こってもよい。それによりカメラシステムにより記録できるように照明システムが領域を照らし出す。このような組み合わせは、駐車ビル又は夜間等、照明が暗い場合で有益であってもよい。
【００３６】
一部の実装では、応答は、別のイベントが発生するまでアクティブ化されなくてもよい。例えば、イベントは、車両１００がキーフォブ等からの開錠コマンドを受信する場合であってもよい。オブジェクト検出システムは、この第２の時間において車両１００の後方の付近の領域の第２の状態を決定してもよい。次に、オブジェクト検出システムは、車両１００の付近の領域の初期の又は第１の状態を示すデータを車両１００の付近の領域の第２の状態を示すデータと比較することによりオブジェクト６０２の存在を検出してもよい。オブジェクト６０２の検出によって、この第２の時間において応答がアクティブ化されてもよい。応答は、映像ファイルをコンピュータ可読記憶装置に保存すること、及び／又はオブジェクト６０２の記録をスマートフォン、キーフォブ及び／又はサードパーティ監視システム又はサービス等の遠隔装置にストリーミングすること等により、オブジェクト６０２が記録され得るようにカメラシステムをアクティブ化することを含んでもよい。他の実装では、カメラシステムによって写真が撮られて、コンピュータ可読記憶装置に記憶され、及び／又はスマートフォン、キーフォブ及び／又はサードパーティ監視システム又はサービス等の遠隔装置に送信されてもよい。更なる例示において、テキストメッセージ等の通知が、制御モジュール１０２の通信モジュール１１８によって、スマートフォン、キーフォブ、又はサードパーティ監視システム及び／又はサービス等の遠隔装置に出力されてもよい。更に、応答は、警報のアクティブ化、照明システムのアクティブ化、音声システムのアクティブ化等を含んでもよい。一部の実装では、車両１００の照明システム及びカメラシステムのアクティブ化等、上記応答の組み合せが互いに起こってもよい。それにより照明システムがカメラシステムにより記録できるように領域を照らし出す。このような組み合わせは、駐車ビル又は夜間において等、照明が暗い場合に有益であってもよい。
【００３７】
一部の実装では、応答は、オブジェクト検出システムに加えて又はその代わりに、他のセンサによる検出に応じてアクティブ化されてもよい。例えば、車両１００室内のモーションセンサが、車両１００の中の動作に基づいて応答をアクティブ化してもよい。ガラスの破損及び／又は車両１００の外乱（例えば、人物が車両１００にぶつかること）を検出するために振動検出センサが使用されてもよい。車両１００の傾きを検出するために傾斜センサが使用されてもよい。
【００３８】
一部の実装では、イベントは、オブジェクト検出システムに車両１００の付近の領域の第２の状態を決定させるために、車両１００のキーフォブ又はスマートフォンの接近等、車両１００への遠隔装置の接近であってもよい。一部の実装では、遠隔装置は、ユーザが車両を遠隔で監視できるように（例えば、ウェブインターフェースを介して、携帯電話で実行中のアプリケーションを介して、キーフォブを介して等）、車両１００のカメラシステムを遠隔でアクティブ化及び／又はアクセスするために使用されてもよい。例えば、ユーザは、ユーザが望む場合は、車両の室外及び／又は室内を監視知るために車両１００のカメラシステムへの映像チャネルを開いてもよい。
【００３９】
図７Ａは、制御システム１０２及びオブジェクト検出システム（図示せず）を有する車両１００を描いている。例示において、オブジェクト検出システムは、車両１００の後部の付近の領域を監視するように構成されるカメラシステム７００を含む。車両１００は、始動されておらず、初期の又は駐車した状態で示されている。例えば、図７Ａに示された車両１００は、車両の運転者によりエンジンが切られたばかりであってもよい。制御システム１０２は、カメラシステム７００を使用することにより、第１の時間に車両１００の前方及び後方の付近の領域の初期状態を決定することによりオブジェクト検出システムを調整するように構成される。一部の実装では、オブジェクト検出システムの調整は、車両１００のトランスミッションが駐車ギアにシフトされると発生してもよい。他の実装では、オブジェクト検出システムの調整は、車両１００のイグニションがオフにされると発生してもよい。更に他の実装では、オブジェクト検出システムの調整は、ユーザ入力（例えば、ボタン（ロックボタン等）のアクティブ化、音声コマンド、又は他のユーザインターフェース）に応答して発生してもよい。
【００４０】
本例示のオブジェクト検出システムの調整は、初期状態として使用され得る車両の付近の領域の写真を撮るためにカメラシステム７００を使用する。車両の付近の領域の初期状態を示すデータは、記憶装置１１０、不揮発性メモリ１１２、及び／又は揮発性メモリ１１４等の記憶装置３２に記憶されてもよい。第１の時間におけるオブジェクト検出システムの調整中に決定された初期状態は、第１の時間の後で、第２の時間における第２の状態と比較して、初期の又は第１の状態と第２の状態との差異を決定するために使用されてもよい。
【００４１】
図６Ｂは、オブジェクト検出システムを有する車両１００を描いており、車両１００の後部の付近の領域内に位置するオブジェクト７０２を示している。一部の実装では、オブジェクト検出システムが車両１００の後部の付近の領域にオブジェクト７０２の存在を決定すると、オブジェクト７０２の存在が決定される場合の応答がアクティブ化されてもよい。オブジェクト７０２が存在するという決定は、オブジェクト認識及びカメラシステム７００からの出力を使用して起こってもよい。即ち、カメラシステム７００によりとられた写真を示すデータは、異常なオブジェクトの存在又は不存在を決定するために初期状態を示すデータと比較されてもよい。異常なオブジェクトが検出されると、制御システム１０２は、オブジェクト７０２が検出されたことを決定してもよい。
【００４２】
応答は、コンピュータ可読記憶装置に映像ファイルを保存等することにより、オブジェクト７０２が記録され得るようにカメラシステム７００をアクティブ化することを含んでもよい。他の実装では、カメラシステム７００によって写真が撮られて、コンピュータ可読記憶装置に記憶されてもよい。カメラシステム７００は、室外カメラシステム、室内カメラシステム、及び／又はこれらの組み合わせであってもよい。一部の実装では、カメラシステムは、車両１００の周囲の３６０度ビューを取るために回転式カメラ又は魚眼カメラを含んでもよい。
【００４３】
一部の実装では、映像ファイル及び／又は写真は、（無線接続の使用等により）制御システム１０２の通信モジュールを使用して、スマートフォン、キーフォブ、又はサードパーティ監視システム又はサービス等の遠隔装置に送信されてもよい。更なる例示において、テキストメッセージ等の通知が、制御システム１０２の通信モジュール１１８によって、スマートフォン、キーフォブ、又はサードパーティ監視システム又はサービス等の遠隔装置に出力されてもよい。更に、応答は、警報のアクティブ化、照明システムのアクティブ化、音声システムのアクティブ化等を含んでもよい。一部の実装では、車両１００の照明システム及びカメラシステム７００のアクティブ化等、上記応答の組み合せが互いに起こってもよい。それにより照明システムがカメラシステム７００により記録できるように領域を照らし出す。このような組み合わせは、駐車ビル又は夜間等、照明が暗い場合に有益であってもよい。
【００４４】
一部の実装では、応答は、別のイベントが発生するまでアクティブ化されなくてもよい。例えば、イベントは、車両１００がキーフォブ等からの開錠コマンドを受信する場合であってもよい。オブジェクト検出システムは、カメラシステム７００を使用して、この第２の時間において車両１００の後方の付近の領域の第２の状態を決定してもよい。次に、オブジェクト検出システムは、車両１００の付近の領域の初期の又は第１の状態を示すデータを車両１００の付近の領域の第２の状態を示すデータと比較することによりオブジェクト７０２の存在を決定してもよい。オブジェクト７０２の存在の決定によって、この第２の時間において応答がアクティブ化されてもよい。応答は、映像ファイルをコンピュータ可読記憶装置に保存すること、及び／又はオブジェクト７０２の記録をスマートフォン、キーフォブ及び／又はサードパーティ監視システム又はサービス等の遠隔装置にストリーミングすること等により、オブジェクト７０２が記録され得るようにカメラシステム７００をアクティブ化することを含んでもよい。他の実装では、カメラシステム７００によって写真が撮られて、コンピュータ可読記憶装置に記憶され、及び／又はスマートフォン、キーフォブ及び／又はサードパーティ監視システム又はサービス等の遠隔装置に送信されてもよい。更なる例示において、テキストメッセージ等の通知が、制御モジュール１０２の通信モジュール１１８によって、スマートフォン、キーフォブ、又はサードパーティ監視システム及び／又はサービス等の遠隔装置に出力されてもよい。更に、応答は、警報のアクティブ化、照明システムのアクティブ化、音声システムのアクティブ化等を含んでもよい。一部の実装では、車両１００の照明システム及びカメラシステム７００のアクティブ化等、上記応答の組み合せが互いに起こってもよい。それによりカメラシステム７００により記録できるように照明システムが領域を照らし出す。このような組み合わせは、駐車ビル又は夜間において等、照明が暗い場合に有益であってもよい。
【００４５】
一部の実装では、応答は、カメラシステム７００に加えて又はその代わりに、他のセンサによる検出に応じてアクティブ化されてもよい。例えば、車両１００室内のモーションセンサが、車両１００の中の動作に基づいて応答をアクティブ化してもよい。ガラスの破損及び／又は車両１００の外乱（例えば、人物が車両１００にぶつかること）を検出するために振動検出センサが使用されてもよい。車両１００の傾きを検出するために傾斜センサが使用されてもよい。
【００４６】
一部の実装では、イベントは、カメラシステム７００を使用して、オブジェクト検出システムに車両１００の付近の領域の第２の状態を決定させるために、車両１００のキーフォブ又はスマートフォンの接近等、車両１００への遠隔装置の接近であってもよい。一部の実装では、遠隔装置は、ユーザが車両を遠隔で監視できるように（例えば、ウェブインターフェースを介して、携帯電話で実行中のアプリケーションを介して、キーフォブを介して等）、車両１００のカメラシステム７００を遠隔でアクティブ化及び／又はアクセスするために使用されてもよい。例えば、ユーザは、ユーザが望む場合は、車両の室外及び／又は室内を監視知るために車両１００のカメラシステム７００への映像チャネルを開いてもよい。
【００４７】
図８は、制御システムを使用してセンサモジュールをアクティブ化し且つ車両の付近の領域の変化が検出されると応答をアクティブ化するための例示の処理８００を描いている。処理８００は、センサモジュールをアクティブ化することを含む（ブロック８０２）。センサモジュールは、近接センサ、レーダシステム、レーザシステム、超音波センサ、電磁センサ、及び／又はセンサモジュールに対するオブジェクトの接近を検出するための任意の他のセンサモジュールを含んでもよい。センサモジュールは、第１の時間においてアクティブ化されてもよい。第１の時間は、車両のトランスミッションが駐車ギアにシフトされる場合に発生してもよい。他の実装では、第１の時間は、車両１００のイグニションがオフにされる場合に発生してもよい。更に他の実装では、第１の時間は、ユーザ入力（例えば、ボタン（ロックボタン等）のアクティブ化、音声コマンド、又は他のユーザインターフェース）に応答して発生してもよい。
【００４８】
車両の付近の領域に関する初期状態が検出されてもよい（ブロック８０４）。車両の付近の領域に関する初期状態は、センサモジュールを使用して検出される。車両の付近の領域の初期状態を示すデータは、記憶装置１１０、不揮発性メモリ１１２、及び／又は揮発性メモリ１１４等の記憶装置３２に記憶されてもよい。
【００４９】
車両の付近の領域の変化は、初期状態に少なくとも部分的に基づいて決定される（ブロック８０６）。例えば、車両の付近の領域に関する第２の状態は、センサモジュールを使用して検出されてもよい。一部の実装では、第２の状態は、オブジェクトがこの領域に入ると決定されてもよい。他の実装では、第２の状態は、後の時間に及び／又は、車両を開錠するコマンド等のイベント、車両のキーフォブの接近、及び／又は別の時間若しくはイベントに応答して決定されてもよい。
【００５０】
車両の付近の領域の決定された変化に少なくとも部分的に基づいて応答がアクティブ化される（ブロック８０８）。応答は、カメラシステムで写真を撮ること又は映像を記録することを含んでもよい。映像ファイル及び／又は写真は、制御システムの通信モジュールを使用して、スマートフォン、キーフォブ、又はサードパーティ監視システム又はサービス等の遠隔装置に送信されてもよい。一部の例では、応答は、制御システムの通信モジュール１１８によって、スマートフォン、キーフォブ、又はサードパーティ監視システム若しくはサービス等の遠隔装置に出力され得るテキストメッセージ等の通知を含んでもよい。また、応答は、警報のアクティブ化、照明システムのアクティブ化、音声システムのアクティブ化等を含んでもよい。一部の実装では、車両の照明システム及びカメラシステムのアクティブ化等、上記応答の組み合せが互いに起こってもよい。それにより照明システムがカメラシステムにより記録できるように領域を照らし出す。
【００５１】
図９は、制御システムを使用してカメラシステムをアクティブ化し且つ車両の付近の領域の変化が検出されると応答をアクティブ化するための例示の処理９００を描いている。処理９００は、カメラシステムをアクティブ化することを含む（ブロック９０２）。カメラシステムは、第１の時間においてアクティブ化されてもよい。第１の時間は、車両のトランスミッションが駐車ギアにシフトされる場合に発生してもよい。他の実装では、第１の時間は、車両１００のイグニションがオフにされる場合に発生してもよい。更に他の実装では、第１の時間は、ユーザ入力（例えば、ボタン（ロックボタン等）のアクティブ化、音声コマンド、又は他のユーザインターフェース）に応答して発生してもよい。
【００５２】
車両の付近の領域に関する初期状態が決定されてもよい（ブロック９０４）。車両の付近の領域の初期状態は、車両の付近の領域の写真を撮るために第１の時間においてカメラシステムがアクティブ化されると決定されてもよい。車両の付近の領域の初期状態を示すデータは、記憶装置１１０、不揮発性メモリ１１２、及び／又は揮発性メモリ１１４等の記憶装置３２に記憶されてもよい。
【００５３】
車両の付近の領域の変化は、初期状態に少なくとも部分的に基づいて決定される（ブロック９０６）。例えば、カメラは、初期状態を示すデータと比較される車両の付近の領域の写真を撮るために第２の時間に使用されてもよい。領域の変化の決定は、オブジェクト認識及びカメラシステムからの出力を使用して起こってもよい。即ち、カメラシステムにより撮られた写真を示すデータは、異常なオブジェクトの存在又は不存在を決定するために初期状態を示すデータと比較されてもよい。異常なオブジェクトが検出されると、制御システムは、領域の変化が発生したことを決定してもよい。一部の実装では、第２の状態は、オブジェクトがこの領域に入ると決定されてもよい。他の実装では、第２の状態は、後の時間に及び／又は、車両を開錠するコマンド等のイベント、車両のキーフォブの接近、及び／又は別の時間若しくはイベントに応答して決定されてもよい。
【００５４】
車両の付近の領域の決定された変化に少なくとも部分的に基づいて応答がアクティブ化される（ブロック９０８）。応答は、カメラシステムで写真を撮ること又は映像を記録することを含んでもよい。映像ファイル及び／又は写真は、制御システムの通信モジュールを使用して、スマートフォン、キーフォブ、又はサードパーティ監視システム又はサービス等の遠隔装置に送信されてもよい。一部の例では、応答は、制御システムの通信モジュール１１８によって、スマートフォン、キーフォブ、又はサードパーティ監視システム若しくはサービス等の遠隔装置に出力され得るテキストメッセージ等の通知を含んでもよい。また、応答は、警報のアクティブ化、照明システムのアクティブ化、音声システムのアクティブ化等を含んでもよい。一部の実装では、車両の照明システム及びカメラシステムのアクティブ化等、上記応答の組み合せが互いに起こってもよい。それにより照明システムがカメラシステムにより記録できるように領域を照らし出す。
【００５５】
図１０は、遠隔装置との通信リンクを確立して、カメラシステムをアクティブ化するための処理１０００を描いている。車両の制御システムは、遠隔装置との通信リンクを確立してもよい（ブロック１００２）。遠隔装置との通信リンクは、制御システムの通信モジュール１１８を使用して確立されてもよい。通信モジュール１１８は、無線接続（例えば、Ｂｌｕｅｔｏｏｔｈ（登録商標）（Ｒ）接続、ＩＥＥＥ８０２．１１プロトコル接続、ＩＥＥＥ８０２．１６プロトコル接続、セルラ接続、及び／又は別の接続）を介して遠隔装置に接続するために使用されてもよい。一部の実装では、遠隔装置は、ラップトップ、デスクトップ、タブレット、スマートフォン、スマートテレビ等のコンピュータ装置であってもよい。他の実装では、遠隔装置は、サードパーティ遠隔サービス又はシステムであってもよい。一部の実装では、通信リンクは、遠隔装置が車両の制御システムとの遠隔接続を要求することにより確立されてもよい。車両の制御システムと接続する要求は、ウェブを介して容易にされてもよい。一部の実装では、通信リンクは、ログイン及びパスワード等のセキュリティ機能を含んでもよい。通信リンクが遠隔装置と確立されると、車両のカメラシステムがアクティブ化されてもよい（ブロック１００４）。一部の実装では、カメラシステムから出力される映像が、遠隔装置にストリーミングされてもよい。他の実装では、カメラシステムによって１つ以上の写真が撮られて、遠隔装置に送信されてもよい。更に他の実装では、低下されたフレームレート又は一連の写真が撮られて、遠隔装置に送信されてもよい。一部の実装では、ユーザインターフェースは、遠隔装置のユーザが、カメラシステムに１つ以上の写真を撮らせ、映像ストリーミングを開始又は停止させ、カメラシステムの送信出力のフレームレートを修正させ、及び／又は車両の１つ以上の他のシステムと相互作用させるために提供されてもよい（例えば、１つ以上の他のセンサをアクティブ化し、音声システムを通じてオーディオを再生し、警報をアクティブ化する等）。
【００５６】
図１１は、車両の付近の領域の第１の状態と車両の付近の領域の第２の状態との間の差異に基づいて応答をアクティブ化するための例示の処理１１００を描いている。処理１１００は、オブジェクト検出システムをアクティブ化することを含む（ブロック１１０２）。オブジェクト検出システムは、１つ以上のセンサモジュール、１つ以上のカメラシステム、及び／又はこれらの組み合わせを含んでもよい。１つ以上のセンサモジュールは、近接センサ、レーダシステム、レーザシステム、超音波センサ、電磁センサ、及び／又はセンサモジュールに対するオブジェクトの接近を検出するための任意の他のセンサモジュールを含んでもよい。１つ以上のセンサモジュール及び／又はカメラシステムは、車両の任意の場所に配置されてもよい。一例では、前方カメラシステム、前方センサモジュール、後方カメラシステム、及び後方センサモジュールが使用されてもよい。センサモジュール及び／又はカメラシステムは、第１の時間においてアクティブ化されてもよい。第１の時間は、車両のトランスミッションが駐車ギアにシフトされる場合に発生してもよい。他の実装では、第１の時間は、車両１００のイグニションがオフにされる場合に発生してもよい。更に他の実装では、第１の時間は、ユーザ入力（例えば、ボタン（ロックボタン等）のアクティブ化、音声コマンド、又は他のユーザインターフェース）に応答して発生してもよい。
【００５７】
第１の時間において車両の付近の領域に関する初期状態の判定が決定されてもよい（ブロック１１０４）。一部の実装では、車両の付近の領域に関する第１の状態は、１つ以上のセンサモジュールによって検出されてもよい。車両の付近の領域の第１の状態を示すデータは、記憶装置１１０、不揮発性メモリ１１２、及び／又は揮発性メモリ１１４等の記憶装置３２に記憶されてもよい。また、一部の実装では、１つ以上のカメラシステムが、第１の時間における車両の付近の領域の第１の状態を決定するために１つ以上のセンサモジュールに加えて又はその代わりに使用されてもよい。
【００５８】
第２の時間において車両の付近の領域に関する第２の状態の判定が決定されてもよい（ブロック１１０６）。一部の実装では、車両の付近の領域に関する第１の状態は、１つ以上のセンサモジュールによって検出されてもよい。また、一部の実装では、１つ以上のカメラシステムが、第２の時間における車両の付近の領域の第２の状態を決定するために１つ以上のセンサモジュールに加えて又はその代わりに使用されてもよい。第２の時間は、第１の時間よりも後の時間に発生してもよい。
【００５９】
第１の状態と第２の状態との差異が決定されてもよい（ブロック１１０８）。一部の実装では、第１の状態と第２の状態との車両の付近の領域の何らかの差異を決定するために、１つ以上のセンサモジュールからの第２の状態を示すデータが記憶装置に記憶された第１の状態を示すデータと比較されてもよい。１つ以上のセンサモジュールからの第１の状態を示すデータと１つ以上センサモジュールからの第２の状態を示すデータとの比較に加えて又は代えて、オブジェクト認識及びカメラシステムからの出力を使用して第１の状態と第２の状態との差異が決定されてもよい。即ち、第１の状態に関してカメラシステムにより撮られた写真を示すデータは、差異を決定するために第２の状態に関してカメラシステムにより撮られた写真を示すデータと比較されてもよい。
【００６０】
決定された差異に少なくとも部分的に基づいて応答がアクティブ化されてもよい（ブロック１１１０）。応答は、カメラシステムで写真を撮ること又は映像を記録することを含んでもよい。映像ファイル及び／又は写真は、車両の制御システムの通信モジュールを使用して、スマートフォン、キーフォブ、又はサードパーティ監視システム又はサービス等の遠隔装置に送信されてもよい。一部の例では、応答は、車両の制御システムの通信モジュール１１８によって、スマートフォン、キーフォブ、又はサードパーティ監視システム若しくはサービス等の遠隔装置に出力され得るテキストメッセージ等の通知を含んでもよい。一部の実装では、過去の２０秒等の以前の既定の期間の診断情報等の他のデータが遠隔装置に送信されてもよい。また、応答は、警報のアクティブ化、照明システムのアクティブ化、音声システムのアクティブ化、テキスト・トゥ・スピーチオーディオの出力等を含んでもよい。一部の実装では、車両の照明システム及びカメラシステムのアクティブ化等、上記応答の組み合せが互いに起こってもよい。それによりカメラシステムにより記録できるように照明システムが領域を照らし出す。
【００６１】
応答は、差異の決定に応じてアクティブ化されてもよく、又は後の時間に又は別のイベントの発生に基づいて発生してもよい。例えば、カメラシステムをアクティブ化する応答は、第１の状態と第２の後の状態との差異が決定されると発生してもよい。カメラシステムからの出力は、車両の記憶装置に記録されてもよい。一部の実装では、差異が検出されるごとに、５秒の映像が記録されてもよい。他の実装では、カメラシステムからの映像の記録に関して、１０秒、１５秒、２０秒、３０秒、６０秒、及び／又は任意の他の期間が使用されてもよい。一部の実装では、記憶装置において記録された映像は、一時的に記憶されて、記憶装置上の記憶空間を維持するために所定期間の後に削除されてもよい。
【００６２】
一部の実装では、カメラシステムにより出力された写真における１つ以上の文字及び／又はカメラシステムにより出力された写真における１つ以上のオブジェクトを決定するために、光学的文字認識及び／又はオブジェクト認識が使用されてもよい。例えば、光学的文字認識は、１つ以上のナンバープレートの文字又は数字を決定するために使用されてもよい。ナンバープレートの文字又は数字は、ユーザの車両の後ろに駐車している車両がユーザの車両にぶつかって立ち去った場合等に、車両のユーザが後の時間にナンバープレートの文字又は値を検索することができるようにデータファイルにテキストで記録されてもよい。他の実装では、オブジェクト認識は、車両の近くのオブジェクトを決定するために利用されてもよい。例えば、オブジェクト認識は、車両の付近のプラスチックカップ等の害のないオブジェクトを識別してもよく、応答をアクティブ化しなくてもよい。従って、オブジェクト認識は、重要ではない検出オブジェクト（例えば、動物、ごみ等）をフィルタし、検出オブジェクトが重要である場合（例えば、人物、車両等）にだけ遠隔装置にテキストデータ、映像データ及び／又は画像データ等を送信する応答をアクティブ化すために使用されてもよい。
【００６３】
一部の実装では、カメラシステムは、車両が最初に駐車され及び／又はロックされたときに車両の周囲の初期状態のパノラマ写真を撮ってもよい。パノラマ写真は、車両に関する事故が起こった場合にユーザがパノラマ写真を取得できるように記憶装置に記憶されてもよい。
【００６４】
勿論、車載カメラ及び警報システムのためのセンサモジュール及び／又はカメラシステムの他の実装及び用途が使用されてもよい。
【００６５】
本記載における「前方」、「バック」、「後方」、「上向き」、「下向き」、「内側」、「外側」、「室内」、「室外」、「右」及び「左」の参照は、単に図面で方向付けられた様々な要素を識別するために使用される。様々な要素が様々な応用で異なって方向付けられ得るので、こうした用語は記載された要素を限定することを意図していない。
【００６６】
更に、本開示の目的で、用語「結合」は２つの部材を互いに直接又は間接的に結び合わせることを意味することに留意されたい。このような結合は、静止した性質又は可動する性質であってもよく、及び／又は液体、電気、電気信号、又は他のタイプの信号又は２つの部材間の通信の流れを可能にしてもよい。このような結合は、２つの部材又は２つの部材と任意の追加の中間部材が互いに単一の本体として一体的に形成され、又は２つの部材又は２つの部材と任意の追加の中間部材が互いに取り付けられることで達成されてもよい。このような結合は、恒久的な性質であってもよく、又は代替的に、取り外し可能又は解放可能な性質であってもよい。
【００６７】
様々な例示的な実施形態に示されたシステム及び方法の構造及び配置は単なる例示である。本開示には少数の実施形態のみが詳細に記載されているが、多くの修正（例えば、サイズ、寸法、構造、形状及び様々な要素の比率、パラメータの値、取り付け配置、材料の使用、色、方向の変更）が可能である。例えば、要素の配置は反転され又はそれ以外で変更されてもよく、個々の要素の性質又は数又は位置が変更又は変形されてもよい。従って、このような全ての修正が、本開示の範囲内に含まれることが意図される。任意の処理又は方法のステップの順番又は順序が、代替的な実施形態に従って変更され又は再順序付けされてもよい。他の置換、修正、変更及び省略が、本開示の範囲から逸脱することなく、例示的な実施形態の設計、動作条件及び配置で行われてもよい。
【００６８】
本開示は、様々な動作を遂行するための任意の機械可読媒体上のプログラム製品、システム及び方法を考慮している。本開示の実施形態は、既存のコンピュータプロセッサを使用して、又はこの若しくは別の目的で組み込まれる、適切なシステムにための専用コンピュータプロセッサによって、又は配線システムによって実装されてもよい。本開示の範囲内の実施形態は、機械実行可能命令又はそれに記憶されるデータ構造を伝送する又は有する機械可読媒体を含むプログラム製品を含む。このような機械可読媒体は、汎用又は専用コンピュータ又はプロセッサを有する他の機械によりアクセスされ得る任意の利用可能な媒体であってもよい。例えば、このような機械可読媒体は、ＲＡＭ、ＲＯＭ、ＥＰＲＯＭ、ＥＥＰＲＯＭ、ＣＤ−ＲＯＭ又は他の光学ディスク記憶装置、磁気ディスク記憶装置又は他の磁気記憶装置、又は機械実行可能命令又はデータ構造の形態で所望のプログラムコードを伝送又は記憶するために使用され得る且つ汎用又は専用コンピュータ又はプロセッサを有する他の機会によりアクセスされ得る任意の他の媒体を含んでもよい。情報が機械とのネットワーク又は別の通信接続（有線、無線、又は有線若しくは無線の組み合わせ）を介して伝送又は提供される場合、機械は適切に接続を機械可読媒体と見なす。従って、任意のこのような接続は、適切に機械可読媒体と呼ばれる。上記の組合せも、機械可読媒体の範囲内に含まれる。例えば、機械実行可能命令は、汎用コンピュータ、専用コンピュータ、又は専用処理機械に所定の機能若しくは機能グループを実行させる命令及びデータを含む。
【００６９】
図面は方法ステップの特定の順番を示しているが、ステップの順番は描かれたものと異なっていてもよい。また、２つ以上のステップが同時に又は部分的に同時に行われてもよい。このような変形は、選択されたソフトウェア及びハードウェアシステムに及び設計者の選択に依存するであろう。このような全ての変形は、本開示の範囲内である。同様に、ソフトウェアの実装は、様々な接続ステップ、処理ステップ、比較ステップ及び決定ステップを遂行するためのルールベース論理及び他の論理を有する標準プログラミング技術によって達成され得る。
【図１】
0006581987.tif 000002
【図２】
0006581987.tif 000003
【図３】
0006581987.tif 000004
【図４】
0006581987.tif 000005
【図５】
0006581987.tif 000006
【図６Ａ】
0006581987.tif 000007
【図６Ｂ】
0006581987.tif 000008
【図７Ａ】
0006581987.tif 000009
【図７Ｂ】
0006581987.tif 000010
【図８】
0006581987.tif 000011
【図９】
0006581987.tif 000012
【図１０】
0006581987.tif 000013
【図１１】
0006581987.tif 000014